【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
呼吸装置であって、
空気供給アセンブリと、
前記空気供給アセンブリに動作可能に接続された少なくとも第１の給気チューブであって、少なくとも１つの外側部分が他の外側部分に比して略平坦である、前記第１の給気チューブと、
前記空気供給アセンブリに着脱可能に接続された鼻用インターフェースであって、左翼部材と右翼部材とを含む弾性パッドを備え、前記左翼部材及び前記右翼部材は、使用者と対面する略平坦なエラストマーのウェブであって、使用者の鼻の下側の左側及び右側にそれぞれ隣接して気密状に係合して位置するよう適合されたウェブを画定し、前記ウェブは内部に第１の通気道と第２の通気道とを形成し、前記空気供給アセンブリと前記使用者の左の鼻腔及び右の鼻腔のそれぞれとが、流体連通するよう構成された、前記鼻用インターフェースと、
を備えた呼吸装置。
【請求項２】
前記少なくとも第１の給気チューブが略Ｄ字形状の断面を有する、請求項１に記載の呼吸装置。
【請求項３】
前記少なくとも第１の給気チューブが複数の内腔を備えた、請求項１に記載の呼吸装置。
【請求項４】
前記少なくとも第１の給気チューブが、前記ウェブを使用者の鼻に気密状に係合した状態で保持することを補助するよう構成した、Ｄ字形状のホースを備えた、請求項１に記載の呼吸装置。
【請求項５】
前記空気供給アセンブリに動作可能に接続された少なくとも第２の給気チューブであって、前記第１の給気チューブ及び前記第２の給気チューブはそれぞれ、使用者の頭部の対向する部分に係合するよう構成された、前記第２の給気チューブをさらに備えた、請求項４に記載の呼吸装置。
【請求項６】
前記ウェブに形成した粘着部をさらに備えた、請求項１に記載の呼吸装置。
【請求項７】
使用者の鼻の側部に取り付けるよう構成した複数の粘着片をさらに備えた、請求項１に記載の呼吸装置。
【請求項８】
前記弾性パッドがゲル材料を備えた、請求項１に記載の呼吸装置。
【請求項９】
前記鼻用インターフェースと前記空気供給アセンブリを取り外し可能に接続するよう配置した粘着層をさらに備えた、請求項１に記載の呼吸装置。
【請求項１０】
前記空気供給アセンブリと前記弾性パッドが、前記鼻用インターフェースを前記空気供給アセンブリと取り外し可能に連結する協働連結要素を備えた、請求項１に記載の呼吸装置。
【手続補正２】
【補正対象書類名】明細書
【補正対象項目名】００１６
【補正方法】変更
【補正の内容】
【００１６】
例えば図１及び図２を参照すると、呼吸装置１０ａは空気供給アセンブリ１２を備え得る。空気供給アセンブリ１２は、空気供給部に連結可能な少なくとも１つの経路（例えば給気チューブ１４、１６）を備え得る。上述したように、様々な適切な空気供給部は、様々な持続陽圧呼吸システムだけでなく、他の適切な様々な呼吸用空気供給部を含み得る。呼吸装置１０ａは、鼻用インターフェース（一般に鼻用インターフェース１８ａ）をさらに含み得る。鼻用インターフェース１８ａは弾性パッド２０ａを含み得る。弾性パッド２０ａの一方の側面（例えば第１の側面２２）は、空気供給アセンブリ１２と取り外し可能に連結するように構成することが可能である。弾性パッド２０ａの略反対側の側面（例えば第２の側面２４）は、使用者の鼻２６の少なくとも一部と係合する構成とすることが可能である。鼻用インターフェース１８ａは第１の通気道２８ａと第２の通気道３０ａをさらに含み得る。図示するように、第１の通気道２８ａと第２の通気道３０ａは弾性パッド２０ａを貫通するように形成した開口を含み得る。第１の通気道２８ａと第２の通気道３０ａは、空気供給アセンブリ１２と使用者の第１の鼻腔及び第２の鼻腔（図示せず）それぞれとの間に空気道を提供する構成であり得る。
【手続補正３】
【補正対象書類名】明細書
【補正対象項目名】００３９
【補正方法】変更
【補正の内容】
【００３９】
図１６は本発明の態様による代替的保持構成を示す。図１６では、ストラップ１９０（図１６の側面図では１つのみが示されている）と組み合わせたキャップ１８０が、使用者の鼻に気密状に係合するよう鼻用インターフェースを保持している。この構成では、キャップ１８０とストラップ１９０の組み合わせをカスタマイズできるため、保持力と快適性が得られる。
【手続補正４】
【補正対象書類名】明細書
【補正対象項目名】００４０
【補正方法】変更
【補正の内容】
【００４０】
図１７は、本発明の態様による一定の姿勢を維持可能な保持構成を概略的に示している。例示的な図１７の実施形態はアーマチュアワイヤとチューブ１９０の組み合わせを使用して、使用者の鼻に気密状に係合した状態で鼻用インターフェースを保持している。図１７で概略的に示すように、鼻用インターフェースを所定の位置に保持する力の方向２００は、所望の力の方向２０５と一致する。
【手続補正５】
【補正対象書類名】明細書
【補正対象項目名】００４８
【補正方法】変更
【補正の内容】
【００４８】
図２７は、頬あてを含む、予め成形した給気チューブの一例の実施形態の概略斜視図を示している。図２７に示す実施形態では、空気供給チューブ３４０ではなく補助チューブ３３０が鼻用インターフェース３３５に空気等の加圧した気体を供給する。図２７は給気チューブ３４０のうちの１つのみを示している。この例示的な実施形態では、給気チューブ３４０は鼻用インターフェース３３５の延長部として機能する。給気チューブはまた、使用者の鼻に鼻用インターフェースを気密状に係合させて保持するよう鼻用インターフェースとストラップ３４５との間の協働メカニズムを提供する。さらに使用者の快適性を高めるために、図２７の実施形態はまた、頬あて３５０（１つのみ示す）を使用する。
【手続補正６】
【補正対象書類名】図面
【補正対象項目名】図１０
【補正方法】変更
【補正の内容】
【図１０】
2013542809.tif 000001
【手続補正７】
【補正対象書類名】図面
【補正対象項目名】図１１
【補正方法】変更
【補正の内容】
【図１１】
2013542809.tif 000002
【手続補正８】
【補正対象書類名】図面
【補正対象項目名】図１２
【補正方法】変更
【補正の内容】
【図１２】
2013542809.tif 000003
【手続補正９】
【補正対象書類名】図面
【補正対象項目名】図１３
【補正方法】変更
【補正の内容】
【図１３】
2013542809.tif 000004
【手続補正１０】
【補正対象書類名】図面
【補正対象項目名】図１４
【補正方法】変更
【補正の内容】
【図１４】
2013542809.tif 000005
【手続補正１１】
【補正対象書類名】図面
【補正対象項目名】図１５
【補正方法】変更
【補正の内容】
【図１５】
2013542809.tif 000006
【手続補正１２】
【補正対象書類名】図面
【補正対象項目名】図１６
【補正方法】変更
【補正の内容】
【図１６】
2013542809.tif 000007
【手続補正１３】
【補正対象書類名】図面
【補正対象項目名】図１７
【補正方法】変更
【補正の内容】
【図１７】
2013542809.tif 000008
【手続補正１４】
【補正対象書類名】図面
【補正対象項目名】図１８
【補正方法】変更
【補正の内容】
【図１８】
2013542809.tif 000009
【手続補正１５】
【補正対象書類名】図面
【補正対象項目名】図１９
【補正方法】変更
【補正の内容】
【図１９】
2013542809.tif 000010
【手続補正１６】
【補正対象書類名】図面
【補正対象項目名】図２０
【補正方法】変更
【補正の内容】
【図２０】
2013542809.tif 000011
【手続補正１７】
【補正対象書類名】図面
【補正対象項目名】図２１Ａ
【補正方法】変更
【補正の内容】
【図２１Ａ】
2013542809.tif 000012
【手続補正１８】
【補正対象書類名】図面
【補正対象項目名】図２１Ｂ
【補正方法】変更
【補正の内容】
【図２１Ｂ】
2013542809.tif 000013
【手続補正１９】
【補正対象書類名】図面
【補正対象項目名】図２２
【補正方法】変更
【補正の内容】
【図２２】
2013542809.tif 000014
【手続補正２０】
【補正対象書類名】図面
【補正対象項目名】図２３
【補正方法】変更
【補正の内容】
【図２３】
2013542809.tif 000015
【手続補正２１】
【補正対象書類名】図面
【補正対象項目名】図２４
【補正方法】変更
【補正の内容】
【図２４】
2013542809.tif 000016
【手続補正２２】
【補正対象書類名】図面
【補正対象項目名】図２５
【補正方法】変更
【補正の内容】
【図２５】
2013542809.tif 000017
【手続補正２３】
【補正対象書類名】図面
【補正対象項目名】図２６
【補正方法】変更
【補正の内容】
【図２６】
2013542809.tif 000018
【手続補正２４】
【補正対象書類名】図面
【補正対象項目名】図２７
【補正方法】変更
【補正の内容】
【図２７】
2013542809.tif 000019
【手続補正２５】
【補正対象書類名】図面
【補正対象項目名】図２８
【補正方法】変更
【補正の内容】
【図２８】
2013542809.tif 000020
【手続補正２６】
【補正対象書類名】図面
【補正対象項目名】図２９
【補正方法】変更
【補正の内容】
【図２９】
2013542809.tif 000021
【手続補正２７】
【補正対象書類名】図面
【補正対象項目名】図３０
【補正方法】変更
【補正の内容】
【図３０】
2013542809.tif 000022